(57)【要約】      （修正有）【課題】屋根材等として用いる波板を下地又は支持部材に、部分的に過大な応力を生じさせず、かつ水密性高く確実に固定することができる波板押さえを提供する。【解決手段】支持部材上に配した波板の所定の部位の上に配する波形座金部材１と、その下面側に配する弾性パッキン部材２と、波形座金部材１の上方からそのビス穴１ａ及び弾性パッキン部材２のビス穴２ａを通じて弾性パッキン部材２の下方に貫通させる板金ビス３とで構成する。波形座金部材１は、波板の波状突曲面部に上方から接合する突曲面形状部１ｂ及びその両側から延長する、波板の波状凹曲面部の途中までに接合する凹曲面形状部１ｃからなる。突曲面形状部１ｂの中央には円錐状突出部１ｂ１を備える。【選択図】図５
0003153372.tif 000002
【実用新案登録請求の範囲】
【請求項１】
波板の波状突曲面部に上方から接合する突曲面形状部及びその両側から延長する、該波板の波状凹曲面部の途中までに接合する凹曲面形状部からなり、かつその突曲面形状部の中央部にビス穴を開口した円錐状突出部を立ち上げ構成した波形座金部材と、
該波形座金部材の裏面側で、該円錐状突出部に対応する円錐状凹部に接して配する円盤状で、その中央にビス穴を備えた弾性パッキン部材と、
該波形座金部材の上面側からその円錐状突出部のビス穴及びその裏面側に位置する弾性パッキン部材のビス穴を通じて、その下部を該弾性パッキン部材の下方まで貫通させる板金ビスと、
で構成した波板押さえ。
【請求項２】
前記波形座金部材を金属又はプラスチックで構成した請求項１の波板押さえ。
【請求項３】
前記弾性パッキン部材を合成ゴム材で構成した請求項１又は２の波板押さえ。
【考案の詳細な説明】
【技術分野】
【０００１】
本考案は、波板を下地又は支持部材に固定するための波板押さえに関する。
【背景技術】
【０００２】
波板を押さえて支持部材等の下地材に固定するための波板押さえに関しては、特許文献１に記された波板押さえに関する提案がある。
【０００３】
この波板押さえは、波状の凹凸状を有する波板と、この波板にねじ込まれるネジの頭部との間に配位されることにより、波板を固定する波板押さえに於いて、中央が高く左右の両端が低くなった湾曲状をなす合成樹脂製の板状部と、この板状部の上面から上方に突出形成されたツマミ部と、板状部の中央に板状部を上下に貫いて形成されたネジ挿入孔とを備え、ツマミ部は、板状部と一体成形されたものであると共に、板状部の中央から左右の両端に向けて少なくとも左右一個ずつが設けられたものであり、更に該板状部と波板との間に挿入される弾性のパッキンを有する波板押さえである。
【０００４】
従ってこの特許文献１の波板押さえによれば、波板を基材に載せ、その状態で、該波板押さえの板状部をその凸部上に被覆状態に載せ、上方からネジを挿入し、これを該基材にねじ込み固定し、これを必要数繰り返すことにより、該波板を基材に固定することができる。板状部と波板との間にはパッキンが挿入状態になっているので、この波板押さえによる固定の際に開口されたネジ穴が該パッキンによって閉じられることになり、水密性が保持されることになる。
【０００５】
またネジを電動工具を使ってねじ込む際に、板状部に構成したツマミ部を掴むことにより、該電動工具による回転に抗してしっかりと板状部を掴んでいることができるため、その回転に伴って一緒に板状部を回転させてしまうとか、その結果、手指の怪我を生じさせてしまうような問題は回避できる。
【０００６】
しかしこの特許文献１の波板押さえによれば、板状部が波板の凸部上に載るだけの大きさしかないため、これで固定した場合に、これに接する狭い部位に応力が集中し、波板を部分的に破損する虞がある。また前記パッキンが、ネジによって形成された波板のネジ穴に、これを閉じるように密着すべく構成されていないので、水密性が確実になるとは限らない問題もある。
【先行技術文献】
【特許文献】
【０００７】
【特許文献１】実用新案登録第３００４０４２号公報
【考案の概要】
【考案が解決しようとする課題】
【０００８】
本考案は、波板押さえを構成する波形座金部材、パッキン部材及び板金ビスに関して最適のそれらを組み合わせ、屋根材等として用いる波板を下地又は支持部材に、部分的に過大な応力を生じさせず、かつ水密性高く確実に固定することができるようにすることを解決の課題とするものである。
【課題を解決するための手段】
【０００９】
本考案の１は、波板の波状突曲面部に上方から接合する突曲面形状部及びその両側から延長する、該波板の波状凹曲面部の途中までに接合する凹曲面形状部からなり、かつその突曲面形状部の中央部にビス穴を開口した円錐状突出部を立ち上げ構成した波形座金部材と、
該波形座金部材の裏面側で、該円錐状突出部に対応する円錐状凹部に接して配する円盤状で、その中央にビス穴を備えた弾性パッキン部材と、
該波形座金部材の上面側からその円錐状突出部のビス穴及びその裏面側に位置する弾性パッキン部材のビス穴を通じて、その下部を該弾性パッキン部材の下方まで貫通させる板金ビスと、
で構成した波板押さえである。
【００１０】
本考案の２は、本考案の１の波板押さえに於いて、前記波形座金部材を金属又はプラスチックで構成したものである。
【００１１】
本考案の３は、本考案の１又は２の波板押さえに於いて、前記パッキン部材を合成ゴム材で構成したものである。
【考案の効果】
【００１２】
本考案の１の波板押さえによれば、波板を支持部材に適切な状態にセットし、その状態で、これを、該波板の波状突曲面部の内の適切な位置に配し、更に波形座金部材の円錐状突出部中央のビス穴及び弾性パッキン部材のビス穴に挿入してある板金ビスを、例えば、ドライバを用いて手動により、または電動ドライバ等の電動工具を用いて、回転動作させ、その下部を支持部材にねじ込めば、容易に該波板を支持部材に固定することができる。勿論、必要な複数箇所に同様にしてこの波板押さえを配することにより確実な波板の固定ができることになる。
【００１３】
このとき、波板と波形座金部材との間に位置する弾性パッキン部材が両者により圧縮され、該波形座金部材の円錐状凹部内に収縮状態で進入することになる。そのため、該波形座金部材の円錐状突出部中央に開口してあるビス穴の周縁と板金ビスとの間の隙間は殆どこの弾性パッキン部材によって埋められ、ほぼ確実に水密性が維持されることになる。なおこの弾性パッキン部材は、波板に該板金ビスによって開口されたビス穴の周縁と該板金ビスとの隙間も同様に埋めて、その部位の水密性も確保することになるものである。
【００１４】
また本考案の１の波板押さえは、波形座金部材が波板の波状突曲面部の上部だけを抱える状態になるのではなく、該波形座金部材の両端が、両側の波状凹曲面部の最底部まで延びており、波板の波板状突曲面部から波状凹曲面部まで大きく抱える状態になるので、例えば、板金ビスを電動工具を用いて回転動作させても、そのとき、同時に波形座金部材まで同時に回転させてしまうような問題は生じない。それ故、これの取り付け作業を行う作業者にとっても手指を痛めてしまう等の虞が少なく安全である。
【００１５】
更に、以上のように、本考案の１の波板押さえによれば、波形座金部材が波板の波状突曲面部のみでなく、同時にその両側の波状凹曲面部にも当接することとなるため、これで支持部材に固定する場合に、波板の狭い部位に応力が集中しなくなるため、その損傷の虞を低下させることもできる。
【００１６】
本考案の２の波板押さえによれば、波板の材質及び固定強度等を考慮して最適の材質の波形座金部材を採用することができる。
【００１７】
本考案の３の波板押さえによれば、適切な弾性を備えた弾性パッキン部材を容易に構成することができる。
【図面の簡単な説明】
【００１８】
【図１】一つの実施の形態の波板押さえの正面図。
【図２】一つの実施の形態の波板押さえの側面図。
【図３】一つの実施の形態の波板押さえの平面図。
【図４】一つの実施の形態の波板押さえの底面図。
【図５】図１のＡ−Ａ線断面図。
【図６】一つの実施の形態の波板押さえで波板を固定している状態を示す説明図。
【考案を実施するための形態】
【００１９】
本考案の波板押さえの一つの実施の形態を図面を参照しながら詳細に説明する。
【００２０】
この実施の形態の波板押さえは、図１〜図５に示すように、基本的に、支持部材１０上に配した波板１１の所定の部位の上に配する波形座金部材１と、その下面側に配する弾性パッキン部材２と、該波形座金部材１の上方からそのビス穴１ａ及び該弾性パッキン部材２のビス穴２ａを通じて該弾性パッキン部材２の下方に貫通させる板金ビス３とで構成したものである。
【００２１】
前記波形座金部材１は、図１〜図５に示すように、波板１１の波状突曲面部１１ａに上方から接合する突曲面形状部１ｂ及びその両側から延長する、該波板１１の波状凹曲面部１１ｂの途中までに接合する凹曲面形状部１ｃからなる。また該波形座金部材１の突曲面形状部１ｂの中央部には円錐状突出部１ｂ１を立ち上げる。前記ビス穴１ａは、該円錐状突出部１ｂ１の中央部に開口したものである。この波形座金部材１は、この実施の形態では、ステンレススチールの板材から成形したものである。
【００２２】
なお、前記円錐状突出部１ｂ１の裏面側は、云うまでもなく、円錐状凹部になっており、波板１１を固定する際には、弾性パッキン部材２の上部側が該円錐状凹部中に進入状態になり、残部が、図６に示すように、波形座金部材１の下面と波板１１の上面との間に挟まって薄く潰れた状態になるようになっている。なおまた、該波形座金部材１の上面には図１〜図６に示すように、両端付近に、両側に延びるリブ１ｄ、１ｄを突出状態に形成してあり、これにより補強を図っている。
【００２３】
前記弾性パッキン部材２は、図１、図４及び図５に示すように、この実施の形態では、合成ゴムで円盤状に成形したものを採用した。合成ゴムとしては、種々それを採用可能であるが、クロロプレン系のそれがより好ましい。前記のように、中央にビス穴２ａを開口しておく。ビス穴２ａの径は前記板金ビス３を貫通可能なそれに形成したものである。
【００２４】
前記板金ビス３は、図１〜図６に示すように、拡大した頭部３ａとスクリュー部３ｂとからなり、この実施の形態では、頭部３ａに十字状の溝が形成されたプラスネジタイプのそれを採用した。またこの板金ビス３には、支持部材の種類、例えば、金属か木材か等に応じて対応するそれを選択する。この実施の形態では、波板１１を木質の支持部材１０で支持することを前提として木質材に適するそれを選択した。
【００２５】
従ってこの実施の形態の波板押さえによれば、図６に示すように、波板１１を支持部材１０の上に適切な状態で配置し、その状態で、該波板押さえの波形座金部材１の突曲面形状部１ｂ及び凹曲面形状部１ｃを、上方から、それぞれ波板１１の波状突曲面部１１ａ及び波状凹曲面部１１ｂの途中までに被覆接合する。このとき、前記弾性パッキン部材２は、波形座金部材１の下面と波板１１の上面との間に位置し、かつ板金ビス３は、波板１１の上面にそのスクリュー部３ｂの先端が当接し、その頭部３ａは相対的に上方に押し上げられる結果となっている。
【００２６】
この状態から、電動工具を用いて該板金ビス３を回転させつつ押し込むと、図６に示すように、そのスクリュー部３ｂが支持部材１０にねじ込まれ、波形座金部材１も該板金ビス３の頭部３ａで更に若干下降させられ、潰れた弾性パッキン部材２を介して波板１１を支持部材１０に確実に固定することになる。適当な間隔でこの波板押さえにより同様に波板１１の必要数の対応部位を支持部材１０に固定することで全体として波板１１の支持部材１０への確実な固定が完了することになる。
【００２７】
この取り付け過程で、波形座金部材１は、その突曲面形状部１ｂ及び凹曲面形状部１ｃで波板１１の波状突曲面部１１ａ及び波状凹曲面部１１ｂの途中までに接合被覆して、これらを深く抱えた状態になっているものであるため、板金ビス３を電動ドリル等の電動工具で回転操作しても、同時に波形座金部材１が回転して作業者の手指に損傷を加える様な問題が生じる虞は少ない。
【００２８】
また、以上のように、波形座金部材１は、波板１１に広い範囲で接合し、押さえるものであるため、応力が小さなエリアに集中せず、これに起因する損傷の虞を低下させることができる。
【００２９】
更に、以上のように、波形座金部材１が波板１１上にセットされると、波板１１と波型座金部材１との間に位置することとなる弾性パッキン部材２が両者により圧縮され、該波形座金部材１の円錐状凹部内に収縮状態で進入することになる。そのため、該波形座金部材１の円錐状突出部１ｂ１の中央に開口してあるビス穴１ａの周縁と板金ビス３のスクリュー部３ｂとの間の隙間は殆どこの弾性パッキン部材２によって埋められ、ほぼ確実に水密性が維持されることになる。なおこの弾性パッキン部材２は、波板１１に該板金ビス３のスクリュー部３ｂによって開口されたビス穴の周縁と該板金ビス３のスクリュー部３ｂとの間の隙間も同様に埋めて、その部位の水密性も確保することになる。
【産業上の利用可能性】
【００３０】
本考案の波板押さえは、建築分野で有効に用いられる。
【符号の説明】
【００３１】
１    波形座金部材
１ａ  波形座金部材のビス穴
１ｂ  波形座金部材の突曲面形状部
１ｂ１  円錐状突出部
１ｃ  波形座金部材の凹曲面形状部
１ｄ  波形座金部材のリブ
２    弾性パッキン部材
２ａ  弾性パッキン部材のビス穴
３    板金ビス
３ａ  頭部
３ｂ  スクリュー部
１０  支持部材
１１  波板
１１ａ  波板の波状突曲面部
１１ｂ  波板の波状凹曲面部
【図１】
0003153372.tif 000003
【図２】
0003153372.tif 000004
【図３】
0003153372.tif 000005
【図４】
0003153372.tif 000006
【図５】
0003153372.tif 000007
【図６】
0003153372.tif 000008